(57)【要約】  空間環境制御システム（５００）は、空間中に存在する病原体を検出する病原体センサ（１２０）と、空間の温度、湿度、塩素濃度及びオゾン濃度の少なくとも１つを示す環境値を検出する環境センサ群（５３０）と、空間の環境の調整を行う調整機器群（５４０）と、調整機器群（５４０）を制御する制御部（５５３）とを備え、制御部（５５３）は、病原体センサ（１２０）によって検出された病原体の空間中の濃度である病原体濃度に基づいて環境値の許容範囲を設定し、設定した許容範囲内で環境値が収まるように調整機器群（５４０）を制御する。
2019142647.tif 000002
【特許請求の範囲】
【請求項１】
空間中に存在する病原体を検出する病原体センサと、
前記空間の温度、湿度、塩素濃度及びオゾン濃度の少なくとも１つを示す環境値を検出する環境センサと、
前記空間の環境の調整を行う調整機器と、
前記調整機器を制御する制御部とを備え、
前記制御部は、
前記病原体センサによって検出された病原体の前記空間中の濃度である病原体濃度に基づいて前記環境値の許容範囲を設定し、設定した許容範囲内で前記環境値が収まるように前記調整機器を制御する
空間環境制御システム。
【請求項２】
前記制御部は、
前記病原体濃度が所定の閾値より低い場合に、前記許容範囲を第１の範囲に設定し、
前記病原体濃度が前記閾値より高い場合に、前記許容範囲を、前記第１の範囲より広い第２の範囲に設定する
請求項１に記載の空間環境制御システム。
【請求項３】
前記制御部は、
１つ以上の閾値で区分される複数の濃度区分のいずれに前記病原体濃度が含まれるかを判定し、
前記複数の濃度区分に対応付けられた互いに異なる複数の範囲のうち、前記病原体濃度が含まれる濃度区分に対応する範囲に、前記許容範囲を設定する
請求項１に記載の空間環境制御システム。
【請求項４】
前記制御部は、時刻及び日付の少なくとも一方に関する日時情報に基づいて、前記１つ以上の閾値及び前記複数の範囲の少なくとも１つを変更する
請求項３に記載の空間環境制御システム。
【請求項５】
前記制御部は、所定の期間が経過する度に、前記許容範囲の設定を行う
請求項１〜４のいずれか１項に記載の空間環境制御システム。
【請求項６】
前記制御部は、設定した許容範囲内の上限値に前記環境値が一致するように前記調整機器を制御する
請求項１〜５のいずれか１項に記載の空間環境制御システム。
【請求項７】
前記空間環境制御システムは、前記調整機器を少なくとも１つ備え、
少なくとも１つの前記調整機器は、前記空間の温度を調整する温度調整機器、前記空間の湿度を調整する湿度調整機器、前記空間に次亜塩素酸を放出する次亜塩素酸発生器、及び、前記空間にオゾンを放出するオゾン発生器の少なくとも１つを含む
請求項１〜６のいずれか１項に記載の空間環境制御システム。
【請求項８】
空間の環境の調整を行う調整機器を制御する制御部を備え、
前記制御部は、
前記空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、設定した許容範囲内で前記環境値が収まるように前記調整機器を制御する
空間環境制御装置。
【請求項９】
空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、
設定した許容範囲内で前記環境値が収まるように、前記空間の環境の調整を行う調整機器を制御する
空間環境制御方法。
【請求項１０】
請求項９に記載の空間環境制御方法をコンピュータに実行させるためのプログラム。
【発明の詳細な説明】
【技術分野】
【０００１】
本開示は、空間環境制御システム、空間環境制御装置及び空間環境制御方法に関する。
【背景技術】
【０００２】
従来、空間内の空気に殺菌剤などの添加物を添加することで、空間の殺菌などを行う空調制御システムが知られている（例えば、特許文献１を参照）。
【先行技術文献】
【特許文献】
【０００３】
【特許文献１】特開２０１６−１１４２６０号公報
【発明の概要】
【発明が解決しようとする課題】
【０００４】
しかしながら、殺菌剤などの添加量が多すぎる場合には、人にとっての快適な環境が損なわれる。【０００５】
そこで、本開示は、人にとっての快適性と病原体の感染力の弱体化とを両立させることができる空間環境制御システム、空間環境制御装置及び空間環境制御方法を提供する。
【課題を解決するための手段】
【０００６】
上記課題を解決するため、本開示の一態様に係る空間環境制御システムは、空間中に存在する病原体を検出する病原体センサと、前記空間の温度、湿度、塩素濃度及びオゾン濃度の少なくとも１つを示す環境値を検出する環境センサと、前記空間の環境の調整を行う調整機器と、前記調整機器を制御する制御部とを備え、前記制御部は、前記病原体センサによって検出された病原体の前記空間中の濃度である病原体濃度に基づいて前記環境値の許容範囲を設定し、設定した許容範囲内で前記環境値が収まるように前記調整機器を制御する。【０００７】
また、本開示の一態様に係る空間環境制御装置は、空間の環境の調整を行う調整機器を制御する制御部を備え、前記制御部は、前記空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、設定した許容範囲内で前記環境値が収まるように前記調整機器を制御する。【０００８】
また、本開示の一態様に係る空間環境制御方法は、空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、設定した許容範囲内で前記環境値が収まるように、前記空間の環境の調整を行う調整機器を制御する。【０００９】
また、本開示の一態様は、上記空間環境制御方法をコンピュータに実行させるためのプログラムとして実現することができる。あるいは、当該プログラムを格納したコンピュータ読み取り可能な記録媒体として実現することもできる。
【発明の効果】
【００１０】
本開示によれば、人にとっての快適性と病原体の感染力の弱体化とを両立させることができる。
【図面の簡単な説明】
【００１１】
【図１】図１は、各実施の形態に係る空間環境制御システムによる環境の制御対象になる空間を示す図である。
【図２】図２は、実施の形態１に係る空間環境制御システムの構成を示すブロック図である。
【図３】図３は、実施の形態１に係る空間環境制御システムの動作を示すフローチャートである。
【図４】図４は、実施の形態１に係る空間環境制御システムの動作中の空間の温度の時間変化を示す図である。
【図５】図５は、実施の形態２に係る空間環境制御システムの構成を示すブロック図である。
【図６】図６は、実施の形態２に係る空間環境制御システムの動作を示すフローチャートである。
【図７】図７は、実施の形態２に係る空間環境制御システムの動作中の空間の湿度の時間変化を示す図である。
【図８】図８は、実施の形態３に係る空間環境制御システムの構成を示すブロック図である。
【図９】図９は、実施の形態３に係る空間環境制御システムの動作を示すフローチャートである。
【図１０】図１０は、実施の形態３に係る空間環境制御システムの動作中の空間の塩素濃度の時間変化を示す図である。
【図１１】図１１は、実施の形態３の変形例に係る空間環境制御システムの構成を示すブロック図である。
【図１２】図１２は、実施の形態４に係る空間環境制御システムの構成を示すブロック図である。
【図１３】図１３は、実施の形態の変形例１に係る空間環境制御システムにおける病原体濃度の濃度区分と許容範囲の候補範囲との対応関係を示す図である。
【図１４】図１４は、実施の形態の変形例１に係る空間環境制御システムの動作を示すフローチャートである。
【図１５】図１５は、実施の形態の変形例２に係る空間環境制御装置の構成を示すブロック図である。
【図１６】図１６は、実施の形態の変形例２に係る空間環境制御システムにおける病原体濃度の濃度区分と許容範囲の候補範囲との対応関係の一例を示す図である。
【図１７】図１７は、実施の形態の変形例２に係る空間環境制御システムにおける病原体濃度の濃度区分と許容範囲の候補範囲との対応関係の別の一例を示す図である。
【図１８】図１８は、実施の形態の変形例２に係る空間環境制御システムにおける病原体濃度の濃度区分と許容範囲の候補範囲との対応関係の別の一例を示す図である。
【図１９】図１９は、実施の形態の変形例２に係る空間環境制御システムにおける病原体濃度の濃度区分と許容範囲の候補範囲との対応関係の別の一例を示す図である。
【図２０】図２０は、実施の形態の変形例３に係る空間環境制御装置の構成を示すブロック図である。
【図２１】図２１は、実施の形態の変形例３に係る空間環境制御システムの表示装置への表示例を示す図である。
【発明を実施するための形態】
【００１２】
（本開示の概要）
病原体には、空間の環境に応じて感染力の強弱がある。このため、調整機器が空間の環境の調整を行うことで、病原体の感染力を弱めることができる。例えば、空間の温度又は湿度を高くすることで、病原体の拡散を抑えることができ、感染力を弱めることができる。また、例えば、塩素濃度又はオゾン濃度を高くすることで、病原体を除去することができ、感染力を弱めることができる。
【００１３】
一方で、温度又は湿度を高くすることにより、人にとって快適な環境が損なわれる恐れがある。同様に、塩素濃度又はオゾン濃度を高くすることにより、塩素臭又はオゾン臭が強まるので、快適な環境が損なわれる恐れがある。
【００１４】
そこで、本開示の一態様に係る空間環境制御システムは、空間中に存在する病原体を検出する病原体センサと、前記空間の温度、湿度、塩素濃度及びオゾン濃度の少なくとも１つを示す環境値を検出する環境センサと、前記空間の環境の調整を行う調整機器と、前記調整機器を制御する制御部とを備え、前記制御部は、前記病原体センサによって検出された病原体の前記空間中の濃度である病原体濃度に基づいて前記環境値の許容範囲を設定し、設定した許容範囲内で前記環境値が収まるように前記調整機器を制御する。
【００１５】
これにより、病原体濃度に基づいて環境値の許容範囲が設定されるので、例えば、病原体濃度が低い場合には許容範囲を狭くして、人にとって快適な環境を確保することができる。逆に、例えば、病原体濃度が高い場合には許容範囲を広くして、病原体の感染力の弱体化を優先させることができる。このように、本態様に係る空間環境制御システムによれば、人にとっての快適性と病原体の感染力の弱体化とを両立させることができる。
【００１６】
また、例えば、前記制御部は、前記病原体濃度が所定の閾値より低い場合に、前記許容範囲を第１の範囲に設定し、前記病原体濃度が前記閾値より高い場合に、前記許容範囲を、前記第１の範囲より広い第２の範囲に設定してもよい。
【００１７】
これにより、病原体濃度が閾値より高い場合には、病原体濃度が閾値より低い場合よりも許容範囲が広くなるので、快適性が多少損なわれる恐れがあるものの、病原体の感染力の弱体化を優先させることができる。逆に、病原体濃度が閾値より低い場合には、病原体の感染力がそもそも弱いので、病原体濃度が閾値より高い場合よりも許容範囲が狭くすることで、人にとって快適な環境を確保することができる。このように、本態様に係る空間環境制御システムによれば、人にとっての快適性と病原体の感染力の弱体化とを両立させることができる。
【００１８】
また、例えば、前記制御部は、１つ以上の閾値で区分される複数の濃度区分のいずれに前記病原体濃度が含まれるかを判定し、前記複数の濃度区分に対応付けられた互いに異なる複数の範囲のうち、前記病原体濃度が含まれる濃度区分に対応する範囲に、前記許容範囲を設定してもよい。
【００１９】
これにより、濃度区分と許容範囲とが対応付けられているので、例えば、閾値の個数を増やした場合、濃度区分の区分数が増えるので、変更可能な許容範囲の候補数も増える。このため、病原体濃度に基づいて適切な許容範囲が設定されやすくなるので、人にとっての快適性と病原体の感染力の弱体化との両立を効果的に行うことができる。
【００２０】
また、例えば、前記制御部は、時刻及び日付の少なくとも一方に関する日時情報に基づいて、前記１つ以上の閾値及び前記複数の範囲の少なくとも１つを変更してもよい。
【００２１】
例えばインフルエンザが冬季に流行しやすいように、病原体には、空間の環境だけでなく、季節などの日時に応じて感染力の強弱がある。本態様に係る空間環境制御システムによれば、病原体濃度だけでなく、日時情報に基づいて適切な許容範囲が設定されやすくなるので、人にとっての快適性と病原体の感染力の弱体化との両立を更に効果的に行うことができる。
【００２２】
また、例えば、前記制御部は、所定の期間が経過する度に、前記許容範囲の設定を行ってもよい。
【００２３】
これにより、所定の期間が経過する度に許容範囲が設定されるので、例えば、病原体濃度が高まった場合には、速やかに病原体の感染力の弱体化を行うことができる。また、逆に、病原体濃度が低くなった場合には、速やかに人にとって快適な空間に戻すことができる。このように、本態様に係る空間環境制御システムによれば、人にとっての快適性と病原体の感染力の弱体化との両立を更に効果的に行うことができる。
【００２４】
また、例えば、前記制御部は、設定した許容範囲内の上限値に前記環境値が一致するように前記調整機器を制御してもよい。
【００２５】
これにより、病原体の感染力の弱体化を短期間で行うことができる。このため、感染力の弱体化を優先し、快適性が多少損なわれる恐れがある期間を短くすることができるので、人にとっての快適性と病原体の感染力の弱体化との両立を更に効果的に行うことができる。
【００２６】
また、例えば、前記空間環境制御システムは、前記調整機器を少なくとも１つ備え、少なくとも１つの前記調整機器は、前記空間の温度を調整する温度調整機器、前記空間の湿度を調整する湿度調整機器、前記空間に次亜塩素酸を放出する次亜塩素酸発生器、及び、前記空間にオゾンを放出するオゾン発生器の少なくとも１つを含んでもよい。
【００２７】
これにより、例えば、空間の温度又は湿度を高くすることで、病原体の拡散を抑えることができ、感染力を弱めることができる。また、空間の温度又は湿度を所定の範囲内で保つことで、人にとって快適な環境を維持することができる。また、例えば、次亜塩素酸又はオゾンを空間に放出して空間の塩素濃度又はオゾン濃度を高くすることで、病原体を除去することができ、感染力を弱めることができる。また、次亜塩素酸又はオゾンの放出を停止することで、不快な臭いを抑制し、人にとって快適な環境を維持することができる。このように、本態様に係る空間環境制御システムは、温度、湿度、塩素濃度又はオゾン濃度を調整する調整機器を少なくとも１つ備えることで、人にとっての快適性と病原体の感染力の弱体化との両立を効果的に行うことができる。
【００２８】
また、例えば、本開示の一態様に係る空間環境制御装置は、空間の環境の調整を行う調整機器を制御する制御部を備え、前記制御部は、前記空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、設定した許容範囲内で前記環境値が収まるように前記調整機器を制御する。
【００２９】
これにより、上述した空間環境制御システムと同様に、人にとっての快適性と病原体の感染力の弱体化とを両立させることができる。
【００３０】
また、例えば、本開示の一態様に係る空間環境制御方法は、空間中に存在する病原体を検出する病原体センサによって検出された病原体の前記空間中の濃度である病原体濃度に基づいて、前記空間の温度、湿度、塩素濃度及びオゾン濃度の少なくとも１つを示す環境値の許容範囲を設定し、設定した許容範囲内で前記環境値が収まるように、前記空間の環境の調整を行う調整機器を制御する。また、本開示の一態様に係るプログラムは、上記空間環境制御方法をコンピュータに実行させるためのプログラムである。
【００３１】
これにより、上述した空間環境制御システムと同様に、人にとっての快適性と病原体の感染力の弱体化とを両立させることができる。
【００３２】
以下では、実施の形態について、図面を参照しながら具体的に説明する。
【００３３】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、独立請求項に記載されていない構成要素については、任意の構成要素として説明される。
【００３４】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００３５】
［制御対象になる空間］
まず、各実施の形態に係る空間環境制御システムによる環境の制御対象となる空間の一例について、図１を用いて説明する。図１は、各実施の形態に係る空間環境制御システムによる環境の制御対象になる空間１０を示す図である。
【００３６】
図１に示されるように、空間１０は、屋内の空間であり、例えば一軒家、マンション、オフィス、病院、介護施設などの建物の一部屋の内部空間である。空間１０は、ドア４３及び窓４４などを開けることで、他の空間又は屋外と繋がり、人の出入り及び空気の入れ換えなどが可能である。
【００３７】
図１に示されるように、空間１０には、病原体１１が存在している。具体的には、病原体１１は、空間１０中を浮遊している。病原体１１は、人に病気を引き起こす細菌などの微生物又はウイルスである。具体的には、病原体１１には、結核菌若しくはＭＲＳＡ（メチシリン耐性黄色ブドウ球菌）、肺炎球菌などの細菌、又は、インフルエンザウイルス、ノロウイルス、ＲＳウイルス若しくは麻しんウイルスなどのウイルスが含まれる。
【００３８】
空間１０には、病原体１１を検出する病原体センサ２０が配置されている。また、空間１０には、温湿度センサ３０及び空気質センサ３１が配置されている。温湿度センサ３０は、空間１０の温度と湿度とを検出する環境センサの一例である。空気質センサ３１は、空間１０の塩素濃度又はオゾン濃度を検出する環境センサの一例である。
【００３９】
図１に示されるように、空間１０には、空間１０の環境の調整を行う調整機器の一例であるエアコン４０及び浄化物質発生器４１が配置されている。また、ドア４３、窓４４及びブラインド４５がそれぞれ、調整機器の一例として設けられている。さらに、空間１０には、これらの調整機器を制御する制御装置５０が配置されている。
【００４０】
エアコン４０は、例えば、空間１０の温度を調整する温度調整機器の一例である。エアコン４０は、空間１０の湿度を調整する湿度調整機器の一例でもある。エアコン４０は、制御装置５０による制御に基づいて、空間１０の温度及び湿度の少なくとも一方を調整する。
【００４１】
浄化物質発生器４１は、浄化物質４２を空間１０に放出する。浄化物質４２は、具体的には、霧状の液体又は気体であり、病原体１１を分解するなどして除去することができる物質である。例えば、浄化物質４２は、ミスト化された次亜塩素酸水又はオゾン水である。つまり、浄化物質発生器４１は、空間１０に次亜塩素酸を放出する次亜塩素酸発生器の一例、又は、空間１０にオゾンを放出するオゾン発生器の一例である。浄化物質発生器４１は、制御装置５０による制御に基づいて次亜塩素酸又はオゾンの放出量を調整する。放出量に応じて、空間１０の塩素濃度又はオゾン濃度が上昇し、又は、その上昇が抑制される。
【００４２】
ドア４３、窓４４及びブラインド４５はそれぞれ、制御装置５０によって開閉が制御される。ドア４３及び窓４４を開けることで、空間１０の空気の入れ換えを行うことができる。空気の入れ換えによって、空間１０中を浮遊する病原体１１を屋外又は他の空間に放出させ、空間１０中の病原体１１の濃度を低くすることができる。また、空気の入れ換えによって、空間１０中に放出した浄化物質４２を屋外又は他の空間に放出させ、空間１０中の浄化物質４２の濃度を低くすることができる。
【００４３】
また、ブラインド４５の開閉によって、太陽光の採光量を調整することができる。太陽光には紫外光が含まれているので、空間１０内に採り込む紫外光の光量を調整することができる。採り込まれた紫外光が病原体１１に照射されることで病原体１１が分解され、空間１０中の病原体１１の濃度を低くすることができる。
【００４４】
制御装置５０は、空間１０の環境を調整する１つ以上の調整機器を制御する。制御装置５０は、例えば、空間１０の壁などに設置された端末機器である。制御装置５０は、エアコン４０、浄化物質発生器４１、ドア４３、窓４４及びブラインド４５の各々と有線又は無線で接続されており、それぞれの動作を制御する。
【００４５】
以下で説明する各実施の形態に係る空間環境制御システムは、空間１０の環境を制御する。空間１０の環境には、例えば、空間１０の温度及び湿度、空間１０を満たす空気に含まれる塩素濃度及びオゾン濃度、並びに、空間１０内を照らす照明光又は太陽光の光量などが含まれる。
【００４６】
空間環境制御システムは、病原体センサ２０及び環境センサの検出結果に基づいて、複数の調整機器の少なくとも１つを制御する。これにより、空間環境制御システムは、空間１０の環境を調整し、病原体１１の感染力を弱体化させる。また、空間環境制御システムは、複数の調整機器の少なくとも１つを制御することで、空間１０に存在する人にとっての快適な環境を形成する。詳細な動作については、各実施の形態で説明する。
【００４７】
なお、図１に示される空間１０内の各センサ及び各機器の配置は一例にすぎない。例えば、エアコン４０及び浄化物質発生器４１の少なくとも一方は配置されていなくてもよい。あるいは、浄化物質発生器４１として、次亜塩素酸発生器とオゾン発生器との両方が配置されていてもよい。
【００４８】
また、空間１０には、ドア４３及び窓４４の少なくとも一方は設けられていなくてもよい。窓４４には、ブラインド４５が設けられていなくてもよい。病原体センサ２０、温湿度センサ３０及び空気質センサ３１の少なくとも１つは、エアコン４０及び浄化物質発生器４１の少なくとも一方に設けられていてもよい。
【００４９】
空間１０には、温湿度センサ３０の代わりに、温度のみを検出する温度センサが配置されていてもよい。あるいは、空間１０には、湿度のみを検出する湿度センサが配置されていてもよい。空間１０には、塩素濃度センサのみが配置されていてもよく、オゾン濃度センサのみが配置されていてもよい。また、空間１０には、空間１０中を浮遊する粉塵の量を検出する粉塵量センサが配置されていてもよい。
【００５０】
また、図示しないが、空間１０には、紫外光を発するＵＶ光源が配置されていてもよい。空間１０には、空間１０内の空気と屋外又は他の空間の空気とを入れ換える換気装置が配置されていてもよい。
【００５１】
また、制御装置５０は、空間１０に配置されていなくてもよく、空間１０の外側に設けられていてもよい。制御装置５０と各センサ及び各調整機器とは、有線又は無線で通信可能であってもよい。
【００５２】
（実施の形態１）
続いて、実施の形態１について説明する。
【００５３】
［構成］
まず、本実施の形態に係る空間環境制御システムの構成について、図２を用いて説明する。
【００５４】
図２は、本実施の形態に係る空間環境制御システム１００の構成を示すブロック図である。図２に示されるように、空間環境制御システム１００は、病原体センサ１２０と、温度センサ１３０と、温度調整機器１４０と、空間環境制御装置１５０とを備える。本実施の形態に係る空間環境制御システム１００は、空間１０の温度を制御する。
【００５５】
病原体センサ１２０は、空間１０中に存在する病原体１１を検出する。具体的には、病原体センサ１２０は、空間１０中の空気を一定量捕集し、捕集した空気に含まれる病原体１１の個体数をカウントする。病原体センサ１２０は、検出結果として、病原体濃度を示す病原体濃度情報を空間環境制御装置１５０に出力する。病原体濃度は、例えば、単位体積当たりの病原体１１の個体数で表される。病原体センサ１２０は、例えば、図１に示される病原体センサ２０に相当する。
【００５６】
温度センサ１３０は、空間１０の温度を環境値の一例として検出する環境センサの一例である。温度センサ１３０は、検出した温度を示す温度情報を空間環境制御装置１５０に出力する。温度センサ１３０は、例えば、図１に示される温湿度センサ３０に相当する。
【００５７】
温度調整機器１４０は、空間１０の温度を調整する機器である。具体的には、温度調整機器１４０は、空間１０の暖房又は冷房を行うことで、空間１０の温度を上昇させ、かつ／又は、低下させる。温度調整機器１４０は、例えば、図１に示されるエアコン４０に相当する。なお、温度調整機器１４０は、ファンヒーター、ストーブ、ハロゲンヒーター、カーボンヒーターなどの暖房機器、及び、クーラー、冷風扇、冷風機などの冷房機器の少なくとも１つでもよい。
【００５８】
空間環境制御装置１５０は、病原体センサ１２０及び温度センサ１３０の検出結果に基づいて温度調整機器１４０を制御する。空間環境制御装置１５０は、例えば、図１に示さえる制御装置５０に相当する。図２に示されるように、空間環境制御装置１５０は、病原体濃度情報取得部１５１と、温度情報取得部１５２と、制御部１５３とを備える。
【００５９】
病原体濃度情報取得部１５１は、病原体センサ１２０から出力される病原体濃度情報を取得する。例えば、病原体濃度情報取得部１５１は、病原体センサ１２０と有線又は無線で接続された通信インタフェースで実現される。
【００６０】
温度情報取得部１５２は、温度センサ１３０から出力される温度情報を取得する。例えば、温度情報取得部１５２は、温度センサ１３０と有線又は無線で接続された通信インタフェースで実現される。
【００６１】
制御部１５３は、病原体濃度情報及び温度情報に基づいて、温度調整機器１４０を制御する。制御部１５３は、プログラムが格納された不揮発性メモリ、プログラムを実行するための一時的な記憶領域である揮発性メモリ、入出力ポート、プログラムを実行するプロセッサなどで実現される。制御部１５３は、専用の電子回路で実現されてもよい。
【００６２】
具体的には、制御部１５３は、病原体濃度情報が示す病原体濃度に基づいて温度の許容範囲を設定し、設定した許容範囲内で温度が収まるように、温度調整機器１４０を制御する。本実施の形態では、制御部１５３は、病原体濃度が所定の閾値より低い場合に、温度の許容範囲を第１の温度範囲に設定し、病原体濃度が閾値より高い場合に、温度の許容範囲を、第１の温度範囲より広い第２の温度範囲に設定する。
【００６３】
本実施の形態では、第１の温度範囲及び第２の温度範囲はそれぞれ、温度の上限値及び下限値によって定められる範囲である。第１の温度範囲は、例えば、第２の温度範囲に含まれている。具体的には、第１の温度範囲の下限値は、第２の温度範囲の下限値以上の値であり、第１の温度範囲の上限値は、第２の温度範囲の上限値以下の値である。
【００６４】
第１の温度範囲は、人にとって快適な環境として定められた温度の範囲である。第１の温度範囲は、例えばＩＳＯ（国際標準化機構）規格、又は、ＰＭＶ（予想平均温冷感申告）法に基づいて快適と定められる温度の範囲である。例えば、第１の温度範囲は、２２℃以上２７℃以下の範囲であるが、これに限定されない。例えば、第１の温度範囲は、２０℃以上３２℃以下の範囲でもよく、当該範囲に含まれる範囲でもよい。
【００６５】
第２の温度範囲は、病原体１１の感染力を弱体化させることができる温度の範囲である。第２の温度範囲には、人にとって不快と感じられる範囲も含まれる。具体的には、第２の温度範囲には、快適な温度範囲よりも高温又は低温の範囲が含まれる。例えば、第２の温度範囲は、２２℃以上３１℃以下の範囲であるが、これに限定されない。第２の温度範囲の下限値と第１の温度範囲の下限値とは等しくなくてもよい。例えば、第２の温度範囲は、１５℃以上３５℃以下の範囲でもよく、当該範囲に含まれる範囲でもよい。
【００６６】
病原体濃度の閾値は、例えば、病原体１１の種別及びその感染力などに基づいて定められる値である。閾値は、例えば、病原体１１による感染の危険性が発生するか否かの判定基準となる値である。病原体濃度が閾値を上回った場合に、病原体１１による感染の危険性が発生する。病原体濃度が閾値より低い場合には、病原体１１による感染はほぼ発生しない。
【００６７】
制御部１５３は、例えば、所定の期間が経過する度に、温度の許容範囲の設定を行う。本実施の形態では、所定の期間が経過する度に、病原体センサ１２０によって病原体１１が検出され、病原体濃度情報が出力される。制御部１５３は、病原体濃度情報取得部１５１が濃度情報を取得する度に、取得した濃度情報に基づいて温度の許容範囲の設定を行う。
【００６８】
制御部１５３は、例えば、浄化モード及び快適モードを含む複数の動作モードから選択された１つのモードで動作する。制御部１５３は、いずれのモードにおいても、設定された許容範囲内で空間１０の温度が収まるように、温度調整機器１４０を制御する。例えば、制御部１５３は、温度調整機器１４０に制御信号を出力する。制御信号には、温度調整機器１４０の動作の開始及び停止、動作の内容、並びに、設定した許容範囲などの指示が含まれる。動作の内容は、例えば、暖房及び冷房、並びに、設定温度などである。
【００６９】
浄化モードは、空間１０中に存在する病原体１１の感染力を弱体化させるための動作モードである。例えば、制御部１５３は、浄化モードで動作する場合に、許容範囲内の上限値に空間１０の温度が一致するように、温度調整機器１４０を制御する。浄化モードにおける温度の許容範囲は、例えば第２の温度範囲である。
【００７０】
快適モードは、空間１０を人にとって快適な温度環境にするための動作モードである。例えば、制御部１５３は、快適モードで動作する場合に、許容範囲内の所定値に空間１０の温度が一致するように、温度調整機器１４０を制御する。快適モードにおける温度の許容範囲は、例えば第１の温度範囲である。
【００７１】
［動作］
続いて、本実施の形態に係る空間環境制御システム１００の動作について、図３を用いて説明する。図３は、本実施の形態に係る空間環境制御システム１００の動作を示すフローチャートである。
【００７２】
図３に示されるように、まず、空間環境制御装置１５０は、病原体濃度を取得する（Ｓ１１０）。具体的には、病原体センサ１２０が空間１０中に存在する病原体１１を検出し、検出結果に基づいて生成した病原体濃度情報を空間環境制御装置１５０に出力する。病原体濃度情報取得部１５１は、出力された病原体濃度情報を取得し、制御部１５３に出力する。
【００７３】
次に、制御部１５３は、病原体濃度情報が示す病原体濃度が閾値より高いか否かを判定する（Ｓ１１２）。病原体濃度が閾値より高い場合（Ｓ１１２でＹｅｓ）、制御部１５３は、温度の許容範囲を第２の温度範囲に設定する（Ｓ１１４）。制御部１５３は、温度が第２の温度範囲に収まるように、温度調整機器１４０を制御することで、空間１０を暖房する（Ｓ１１６）。
【００７４】
インフルエンザウイルスなどのウイルスは、高温環境下では生存率が低下する。このため、空間１０の温度を上昇させることで、病原体１１の個体数を減らし、感染力を低下させることができる。このように、病原体濃度が閾値より高い場合には、制御部１５３は、浄化モードで動作する。つまり、制御部１５３は、病原体濃度が閾値より高い場合に、許容範囲を広くすることで、病原体１１の浄化を優先させる。
【００７５】
病原体濃度が閾値より低い場合（Ｓ１１２でＮｏ）、制御部１５３は、温度の許容範囲を第１の温度範囲に設定する（Ｓ１１８）。制御部１５３は、温度が第１の温度範囲に収まるように、温度調整機器１４０を制御することで、空間１０を快適な環境で維持する（Ｓ１２０）。このように、病原体濃度が閾値より低い場合には、制御部１５３は、快適モードで動作する。
【００７６】
なお、病原体濃度が閾値に等しい場合は、温度の許容範囲を第１の温度範囲に設定してもよく、第２の温度範囲に設定してもよい。
【００７７】
所定の期間が経過するまで（Ｓ１２２でＮｏ）、状態が維持される。所定の期間が経過した後（Ｓ１２２でＹｅｓ）、ステップＳ１１０に戻り、病原体濃度の取得からの処理が繰り返される。所定の期間は、例えば１０分以上１時間以内の範囲であるが、これに限らない。
【００７８】
ここで、図３に示されるフローチャートに沿って空間環境制御システム１００が動作したときの空間１０の温度変化の具体例について、図４を用いて説明する。図４は、本実施の形態に係る空間環境制御システム１００の動作中の空間１０の温度の時間変化を示す図である。図４では、横軸に時間を示しており、縦軸に空間１０の温度を示している。
【００７９】
図４に示されるように、時刻ｔ１〜ｔ５の各々で、病原体センサ１２０が病原体１１の検出を行っている。例えば、時刻ｔ１から時刻ｔ２までの期間が、図３に示されるステップＳ１２２の所定の期間に相当する。所定の期間は、常に一定の期間でなくてもよく、異なる期間を含んでもよい。例えば、時刻ｔ１から時刻ｔ２までの期間と時刻ｔ２から時刻ｔ３までの期間とは異なっていてもよい。
【００８０】
図４で示される例では、時刻ｔ１に至るまでの期間は、許容範囲が第１の温度範囲であり、空間１０には快適な環境が形成されている。例えば、制御部１５３が温度調整機器１４０を制御することで、空間１０の温度が２３℃で保たれている。ここでは、第１の温度範囲は、下限値Ｔ１ｍｉｎが２２℃、上限値Ｔ１ｍａｘが２７℃となる範囲であり、人にとっての快適性が優先された範囲である。
【００８１】
時刻ｔ１では、病原体濃度が閾値より低いと判定されているので、制御部１５３は、温度調整機器１４０を制御することで、快適な環境を維持する。時刻ｔ２では、病原体濃度が閾値より高いと判定されたため、制御部１５３は、許容範囲を第２の温度範囲に設定し、温度調整機器１４０を暖房で動作させる。第２の温度範囲は、下限値Ｔ２ｍｉｎが２２℃、上限値Ｔ２ｍａｘが３１℃となる範囲であり、病原体１１の浄化を優先させた範囲である。
【００８２】
温度調整機器１４０が暖房動作を行うことで、時刻ｔ２以降、空間１０の温度が上昇する。許容範囲が第１の温度範囲から第２の温度範囲に変更されているので、第１の温度範囲の上限値Ｔ１ｍａｘである２７℃を超えて、空間１０の温度は上昇する。このとき、制御部１５３は、第２の温度範囲の上限値Ｔ２ｍａｘである３１℃を超えないように、温度調整機器１４０を制御する。
【００８３】
時刻ｔ３では、病原体濃度が閾値より高いと判定されているので、制御部１５３は、許容範囲を第２の温度範囲のままで維持する。制御部１５３は、空間１０の温度が３１℃で保たれるように、温度調整機器１４０を制御する。時刻ｔ２〜時刻ｔ４にかけて、空間１０の温度が高温になるので、病原体１１の生存率が低下し、病原体濃度が低下する。
【００８４】
時刻ｔ４では、病原体濃度が閾値より低いと判定されているので、制御部１５３は、許容範囲を第１の温度範囲に戻し、温度調整機器１４０を冷房で動作させる。温度調整機器１４０が冷房動作を行うことで、時刻ｔ４以降、空間１０の温度が低下する。空間１０の温度が第１の温度範囲の上限値Ｔ１ｍａｘを下回り、第１の温度範囲に収まる範囲内で維持されるように、制御部１５３は、温度調整機器１４０を制御する。
【００８５】
なお、図４に示される例では、快適性を優先する場合に、制御部１５３は、空間１０の温度が第１の温度範囲の中央寄りの温度になるように温度調整機器１４０を制御したが、これに限らない。例えば、制御部１５３は、空間１０の温度が第１の温度範囲の下限値Ｔ１ｍｉｎで保たれるように温度調整機器１４０を制御してもよく、空間１０の温度が第１の温度範囲の上限値Ｔ１ｍａｘで保たれるように温度調整機器１４０を制御してもよい。
【００８６】
また、浄化を優先する場合に、制御部１５３は、空間１０の温度が第２の温度範囲の上限値Ｔ２ｍａｘで保たれるように温度調整機器１４０を制御したが、これに限らない。例えば、制御部１５３は、第２の温度範囲に含まれ、かつ、第１の温度範囲に含まれない範囲、すなわち、第１の温度範囲の上限値Ｔ１ｍａｘ以上、第２の温度範囲の上限値Ｔ２ｍａｘ以下の範囲に空間１０の温度が収まるように、温度調整機器１４０を制御してもよい。例えば、制御部１５３は、上限値Ｔ１ｍａｘと上限値Ｔ２ｍａｘとの間の中央値に空間１０の温度が一致するように、温度調整機器１４０を制御してもよい。
【００８７】
以上のように、本実施の形態に係る空間環境制御システム１００によれば、病原体濃度に基づいて温度の許容範囲が設定される。このため、例えば、病原体濃度が閾値より高くて感染の危険性が高い場合に、空間１０を高温にして病原体１１の生存率を下げることができる。これにより、病原体１１による感染の危険性が高まった場合には、快適性が多少損なわれる恐れがあるものの、病原体１１の感染力を弱体化させることができる。また、病原体濃度が閾値より低くて感染の危険性が低い場合には、空間１０を人にとって快適な環境で保つことができる。
【００８８】
このように、病原体濃度に基づいて温度の許容範囲が設定されるので、人にとっての快適な環境と、病原体１１の感染力の弱体化とを両立させることができる。
【００８９】
（実施の形態２）
続いて、実施の形態２について説明する。
【００９０】
実施の形態１では空間の温度を制御したのに対して、本実施の形態では空間の湿度を制御する。以下では、図１に示される空間１０が、本実施の形態に係る空間環境制御システムによる環境の制御対象の空間である場合を例に説明する。なお、以下の説明において、実施の形態１との相違点を中心に説明し、共通点の説明を省略又は簡略化する。
【００９１】
［構成］
まず、本実施の形態に係る空間環境制御システムの構成について、図５を用いて説明する。
【００９２】
図５は、本実施の形態に係る空間環境制御システム２００の構成を示すブロック図である。図５に示されるように、空間環境制御システム２００は、病原体センサ１２０と、湿度センサ２３０と、湿度調整機器２４０と、空間環境制御装置２５０とを備える。本実施の形態に係る空間環境制御システム２００は、空間１０の湿度を制御する。
【００９３】
湿度センサ２３０は、空間１０の湿度を環境値の一例として検出する環境センサの一例である。湿度センサ２３０は、検出した湿度を示す湿度情報を空間環境制御装置２５０に出力する。湿度センサ２３０は、例えば、図１に示される温湿度センサ３０に相当する。
【００９４】
湿度調整機器２４０は、空間１０の湿度を調整する機器である。具体的には、湿度調整機器２４０は、空間１０の加湿又は除湿を行うことで、空間１０の湿度を上昇させ、かつ／又は、低下させる。湿度調整機器２４０は、例えば、図１に示されるエアコン４０に相当する。なお、湿度調整機器２４０は、加湿器及び除湿器の少なくとも１つでもよい。
【００９５】
空間環境制御装置２５０は、病原体センサ１２０及び湿度センサ２３０の検出結果に基づいて湿度調整機器２４０を制御する。空間環境制御装置２５０は、例えば、図１に示される制御装置５０に相当する。図５に示されるように、空間環境制御装置２５０は、病原体濃度情報取得部１５１と、湿度情報取得部２５２と、制御部２５３とを備える。
【００９６】
湿度情報取得部２５２は、湿度センサ２３０から出力される湿度情報を取得する。例えば、湿度情報取得部２５２は、湿度センサ２３０と有線又は無線で接続された通信インタフェースで実現される。
【００９７】
制御部２５３は、病原体濃度情報及び湿度情報に基づいて、湿度調整機器２４０を制御する。制御部２５３は、プログラムが格納された不揮発性メモリ、プログラムを実行するための一時的な記憶領域である揮発性メモリ、入出力ポート、プログラムを実行するプロセッサなどで実現される。制御部２５３は、専用の電子回路で実現されてもよい。
【００９８】
具体的には、制御部２５３は、病原体濃度情報が示す病原体濃度に基づいて湿度の許容範囲を設定し、設定した許容範囲内で湿度が収まるように、湿度調整機器２４０を制御する。本実施の形態では、制御部２５３は、病原体濃度が所定の閾値より低い場合に、湿度の許容範囲を第１の湿度範囲に設定し、病原体濃度が閾値より高い場合に、湿度の許容範囲を、第１の湿度範囲より広い第２の湿度範囲に設定する。
【００９９】
本実施の形態では、第１の湿度範囲及び第２の湿度範囲はそれぞれ、湿度の上限値及び下限値によって定められる範囲である。第１の湿度範囲は、例えば、第２の湿度範囲に含まれている。具体的には、第１の湿度範囲の下限値は、第２の湿度範囲の下限値以上の値であり、第１の湿度範囲の上限値は、第２の湿度範囲の上限値以下の値である。
【０１００】
第１の湿度範囲は、人にとって快適な環境として定められた湿度の範囲である。第１の湿度範囲は、例えば建築物衛生法に基づいて快適と定められる湿度の範囲である。例えば、第１の湿度範囲は、５０％以上７０％以下の範囲であるが、これに限定されない。第１の湿度範囲は、例えば４０％以上７５％以下の範囲でもよく、当該範囲に含まれる範囲でもよい。
【０１０１】
第２の湿度範囲は、病原体１１の感染力を弱体化させることができる湿度の範囲である。第２の湿度範囲には、人にとって不快と感じられる範囲も含まれる。具体的には、第２の湿度範囲には、快適な湿度範囲よりも高湿又は低湿の範囲が含まれる。例えば、第２の湿度範囲は、５０％以上９０％以下の範囲であるが、これに限定されない。第２の湿度範囲は、例えば２０％以上９０％以下の範囲でもよく、当該範囲に含まれる範囲でもよい。
【０１０２】
制御部２５３は、例えば、浄化モード及び快適モードを含む複数の動作モードから選択された１つのモードで動作する。制御部２５３は、いずれのモードにおいても、設定された許容範囲内で空間１０の湿度が収まるように、湿度調整機器２４０を制御する。例えば、制御部２５３は、湿度調整機器２４０に制御信号を出力する。制御信号には、湿度調整機器２４０の動作の開始及び停止、動作の内容、並びに、設定した許容範囲などの指示が含まれる。動作の内容は、例えば、加湿及び除湿、並びに、設定湿度などである。
【０１０３】
浄化モードは、空間１０中に存在する病原体１１の感染力を弱体化させるための動作モードである。例えば、制御部２５３は、浄化モードで動作する場合に、許容範囲内の上限値に空間１０の湿度が一致するように、湿度調整機器２４０を制御する。浄化モードにおける湿度の許容範囲は、例えば第２の湿度範囲である。
【０１０４】
快適モードは、空間１０を人にとって快適な湿度環境にするための動作モードである。例えば、制御部２５３は、快適モードで動作する場合に、許容範囲内の所定値に空間１０の湿度が一致するように、湿度調整機器２４０を制御する。快適モードにおける湿度の許容範囲は、例えば第１の湿度範囲である。
【０１０５】
［動作］
続いて、本実施の形態に係る空間環境制御システム２００の動作について、図６を用いて説明する。図６は、本実施の形態に係る空間環境制御システム２００の動作を示すフローチャートである。
【０１０６】
図６に示されるように、病原体濃度と閾値との判定処理（Ｓ１１２）までの処理は、実施の形態１と同様である。
【０１０７】
病原体濃度が閾値より高い場合（Ｓ１１２でＹｅｓ）、制御部２５３は、湿度の許容範囲を第２の湿度範囲に設定する（Ｓ２１４）。制御部２５３は、湿度が第２の湿度範囲に収まるように、湿度調整機器２４０を制御することで、空間１０を加湿する（Ｓ２１６）。
【０１０８】
インフルエンザウイルスなどのウイルスは、高湿環境下では生存率が低下する。このため、空間１０の湿度を上昇させることで、病原体１１の個体数を減らし、感染力を低下させることができる。このように、病原体濃度が閾値より高い場合には、制御部２５３は、浄化モードで動作する。つまり、制御部２５３は、病原体濃度が閾値より高い場合に、湿度の許容範囲を広くすることで、病原体１１の浄化を優先させる。
【０１０９】
なお、湿度が高い状態にある場合、空間１０内の壁及び窓４４などには水分が付着しやすい。空間１０内の水分量が多い場合、病原体１１は、水分に捕えられて空気中に浮遊しにくくなる。したがって、病原体１１が空間１０内に存在している状態であっても、浮遊する病原体１１の個体数を減らすことにより、感染力を低下させることができる。
【０１１０】
病原体濃度が閾値より低い場合（Ｓ１１２でＮｏ）、制御部２５３は、湿度の許容範囲を第１の湿度範囲に設定する（Ｓ２１８）。制御部２５３は、湿度が第１の湿度範囲に収まるように、湿度調整機器２４０を制御することで、空間１０を快適な環境で維持する（Ｓ２２０）。このように、病原体濃度が閾値より低い場合には、制御部２５３は、快適モードで動作する。
【０１１１】
なお、病原体濃度が閾値に等しい場合には、湿度の許容範囲を第１の湿度範囲に設定してもよく、第２の湿度範囲に設定してもよい。
【０１１２】
所定の期間が経過するまで（Ｓ１２２でＮｏ）、状態が維持される。所定の期間が経過した後（Ｓ１２２でＹｅｓ）、ステップＳ１１０に戻り、病原体濃度の取得からの処理が繰り返される。
【０１１３】
ここで、図６に示されるフローチャートに沿って空間環境制御システム２００が動作したときの空間１０の湿度変化の具体例について、図７を用いて説明する。図７は、本実施の形態に係る空間環境制御システム２００の動作中の空間１０の湿度の時間変化を示す図である。図７では、横軸に時間を示しており、縦軸に空間１０の湿度を示している。
【０１１４】
図７で示される例では、時刻ｔ１に至るまでの期間は、許容範囲が第１の湿度範囲であり、空間１０には快適な環境が形成されている。例えば、制御部２５３が湿度調整機器２４０を制御することで、空間１０の湿度が５５％で保たれている。ここでは、第１の湿度範囲は、下限値Ｈ１ｍｉｎが５０％、上限値Ｈ１ｍａｘが７０％となる範囲であり、人にとっての快適性が優先された範囲である。
【０１１５】
時刻ｔ１では、病原体濃度が閾値より低いと判定されているので、制御部２５３は、湿度調整機器２４０を制御することで、快適な環境を維持する。時刻ｔ２では、病原体濃度が閾値より高いと判定されたため、制御部２５３は、許容範囲を第２の湿度範囲に設定し、湿度調整機器２４０を加湿で動作させる。第２の湿度範囲は、下限値Ｈ２ｍｉｎが５０％、上限値Ｈ２ｍａｘが９０％となる範囲であり、病原体１１の浄化を優先させた範囲である。
【０１１６】
湿度調整機器２４０が加湿動作を行うことで、時刻ｔ２以降、空間１０の湿度が上昇する。許容範囲が第１の湿度範囲から第２の湿度範囲に変更されているので、第１の湿度範囲の上限値Ｈ１ｍａｘである７０％を超えて、空間１０の湿度は上昇する。このとき、制御部２５３は、第２の湿度範囲の上限値Ｈ２ｍａｘである９０％を超えないように、湿度調整機器２４０を制御する。
【０１１７】
時刻ｔ３では、病原体濃度が閾値より高いと判定されているので、制御部２５３は、許容範囲を第２の湿度範囲のままで維持する。制御部２５３は、空間１０の湿度が９０％で保たれるように、湿度調整機器２４０を制御する。時刻ｔ２〜時刻ｔ４にかけて、空間１０の湿度が高湿になるので、病原体１１の生存率が低下し、病原体濃度が低下する。
【０１１８】
時刻ｔ４では、病原体濃度が閾値より低いと判定されているので、制御部２５３は、許容範囲を第１の湿度範囲に戻し、湿度調整機器２４０を除湿で動作させる。湿度調整機器２４０が除湿動作を行うことで、時刻ｔ４以降、空間１０の湿度が低下する。空間１０の湿度が第１の湿度範囲の上限値Ｈ１ｍａｘを下回り、第１の湿度範囲に収まる範囲内で維持されるように、制御部２５３は、湿度調整機器２４０を制御する。
【０１１９】
なお、図７に示される例では、快適性を優先する場合に、制御部２５３は、空間１０の湿度が第１の湿度範囲の中央寄りの湿度になるように湿度調整機器２４０を制御したが、これに限らない。例えば、制御部２５３は、空間１０の湿度が第１の湿度範囲の下限値Ｈ１ｍｉｎで保たれるように湿度調整機器２４０を制御してもよく、空間１０の湿度が第１の湿度範囲の上限値Ｈ１ｍａｘで保たれるように湿度調整機器２４０を制御してもよい。
【０１２０】
また、浄化を優先する場合に、制御部２５３は、空間１０の湿度が第２の湿度範囲の上限値Ｈ２ｍａｘで保たれるように湿度調整機器２４０を制御したが、これに限らない。例えば、制御部２５３は、第２の湿度範囲に含まれ、かつ、第１の湿度範囲に含まれない範囲、すなわち、第１の湿度範囲の上限値Ｈ１ｍａｘ以上、第２の湿度範囲の上限値Ｈ２ｍａｘ以下の範囲に空間１０の湿度が収まるように、湿度調整機器２４０を制御してもよい。例えば、制御部２５３は、上限値Ｈ１ｍａｘと上限値Ｈ２ｍａｘとの間の中央値に空間１０の湿度が一致するように、湿度調整機器２４０を制御してもよい。
【０１２１】
以上のように、本実施の形態に係る空間環境制御システム２００によれば、病原体濃度に基づいて湿度の許容範囲が設定される。このため、例えば、病原体濃度が閾値より高くて感染の危険性が高い場合に、空間１０を高湿にして病原体１１の生存率を下げることができる。これにより、病原体１１による感染の危険性が高まった場合には、快適性が多少損なわれる恐れがあるものの、病原体１１の感染力を弱体化させることができる。また、病原体濃度が閾値より低くて感染の危険性が低い場合には、空間１０を人にとって快適な環境で保つことができる。
【０１２２】
このように、病原体濃度に基づいて湿度の許容範囲が設定されるので、人にとっての快適な環境と、病原体１１の感染力の弱体化とを両立させることができる。
【０１２３】
（実施の形態３）
続いて、実施の形態３について説明する。
【０１２４】
本実施の形態では、空間に浄化物質を放出することで、空間中の浄化物質の濃度を制御する。以下では、図１に示される空間１０が、本実施の形態に係る空間環境制御システムによる環境の制御対象の空間である場合を例に説明する。なお、以下の説明において、実施の形態１との相違点を中心に説明し、共通点の説明を省略又は簡略化する。
【０１２５】
［構成］
まず、本実施の形態に係る空間環境制御システムの構成について、図８を用いて説明する。
【０１２６】
図８は、本実施の形態に係る空間環境制御システム３００の構成を示すブロック図である。図８に示されるように、空間環境制御システム３００は、病原体センサ１２０と、塩素濃度センサ３３１と、次亜塩素酸発生器３４１と、換気装置３４２と、空間環境制御装置３５０とを備える。本実施の形態に係る空間環境制御システム３００は、空間１０に霧状の次亜塩素酸水を浄化物質４２として放出する。
【０１２７】
塩素濃度センサ３３１は、空間１０の塩素濃度を環境値の一例として検出する環境センサの一例である。塩素濃度センサ３３１は、検出した塩素濃度を示す塩素濃度情報を空間環境制御装置３５０に出力する。塩素濃度センサ３３１は、例えば、図１に示される空気質センサ３１に相当する。
【０１２８】
次亜塩素酸発生器３４１は、空間１０に次亜塩素酸を放出する機器である。例えば、次亜塩素酸発生器３４１は、次亜塩素酸水を生成し、生成した次亜塩素酸水をミスト化して放出する。次亜塩素酸発生器３４１は、次亜塩素酸水の放出量を調整することにより、空間１０の塩素濃度を上昇させる。次亜塩素酸発生器３４１は、例えば図１に示される浄化物質発生器４１に相当する。
【０１２９】
換気装置３４２は、空間１０内の空気を屋外又はその他の空間と入れ換える装置である。例えば、換気装置３４２は、次亜塩素酸の濃度が高まった空気を外気と入れ換えることで、空間１０中の塩素濃度を低下させる。
【０１３０】
換気装置３４２は、図１に示されるドア４３及び窓４４などに相当する。あるいは、換気装置３４２は、換気扇又は専用の換気設備などであってもよい。また、空間環境制御システム３００は、換気装置３４２の代わりに、空気清浄機を備えてもよい。
【０１３１】
空間環境制御装置３５０は、病原体センサ１２０及び塩素濃度センサ３３１の検出結果に基づいて、次亜塩素酸発生器３４１及び換気装置３４２の少なくとも一方を制御する。空間環境制御装置３５０は、例えば、図１に示される制御装置５０に相当する。図８に示されるように、空間環境制御装置３５０は、病原体濃度情報取得部１５１と、塩素濃度情報取得部３５２と、制御部３５３とを備える。
【０１３２】
塩素濃度情報取得部３５２は、塩素濃度センサ３３１から出力される塩素濃度情報を取得する。例えば、塩素濃度情報取得部３５２は、塩素濃度センサ３３１と有線又は無線で接続された通信インタフェースで実現される。
【０１３３】
制御部３５３は、病原体濃度情報及び塩素濃度情報に基づいて、次亜塩素酸発生器３４１及び換気装置３４２の少なくとも一方を制御する。制御部３５３は、プログラムが格納された不揮発性メモリ、プログラムを実行するための一時的な記憶領域である揮発性メモリ、入出力ポート、プログラムを実行するプロセッサなどで実現される。制御部３５３は、専用の電子回路で実現されてもよい。
【０１３４】
具体的には、制御部３５３は、病原体濃度情報が示す病原体濃度に基づいて塩素濃度の許容範囲を設定し、設定した許容範囲内で塩素濃度が収まるように、次亜塩素酸発生器３４１及び換気装置３４２を制御する。本実施の形態では、制御部３５３は、病原体濃度が所定の閾値より低い場合に、塩素濃度の許容範囲を第１の濃度範囲に設定し、病原体濃度が閾値より高い場合に、塩素濃度の許容範囲を、第１の濃度範囲より広い第２の濃度範囲に設定する。
【０１３５】
本実施の形態では、第１の濃度範囲及び第２の濃度範囲はそれぞれ、塩素濃度の上限値及び下限値によって定められる範囲である。第１の濃度範囲は、例えば、第２の濃度範囲に含まれている。具体的には、第１の濃度範囲の下限値は、第２の濃度範囲の下限値以上の値であり、第１の濃度範囲の上限値は、第２の濃度範囲の上限値以下の値である。
【０１３６】
第１の濃度範囲は、人にとって快適な環境として定められた塩素濃度の範囲である。第１の濃度範囲は、例えば作業環境評価基準に基づいて定められる塩素濃度の範囲である。例えば、第１の濃度範囲は、０ｐｐｍ以上０．０１ｐｐｍ以下の範囲であるが、これに限定されない。第１の濃度範囲は、例えば０ｐｐｍ以上０．０３ｐｐｍ以下の範囲でもよく、当該範囲に含まれる範囲でもよい。
【０１３７】
第２の濃度範囲は、病原体１１の感染力を弱体化させることができる塩素濃度の範囲である。第２の濃度範囲には、人にとって塩素臭により不快と感じられる範囲も含まれる。具体的には、第２の濃度範囲には、快適な濃度範囲よりも濃度が高い範囲が含まれる。例えば、第２の濃度範囲は、０ｐｐｍ以上０．１ｐｐｍ以下の範囲であるが、これに限定されない。第２の濃度範囲は、例えば０ｐｐｍ以上０．５ｐｐｍ以下の範囲でもよく、当該範囲に含まれる範囲でもよい。
【０１３８】
制御部３５３は、浄化モード及び快適モードを含む複数の動作モードから選択された１つのモードで動作する。制御部３５３は、いずれのモードにおいても、設定された許容範囲内で空間１０の塩素濃度が収まるように、次亜塩素酸発生器３４１及び換気装置３４２を制御する。例えば、制御部３５３は、次亜塩素酸発生器３４１及び換気装置３４２の各々に制御信号を出力する。次亜塩素酸発生器３４１に出力される制御信号には、次亜塩素酸発生器３４１の動作の開始及び停止、次亜塩素酸の放出量、並びに、設定した許容範囲などの指示が含まれる。換気装置３４２に出力される制御信号には、換気装置３４２の動作の開始及び停止、換気量、並びに、設定した許容範囲などの指示が含まれる。制御信号には、換気量の代わりに、例えば、ドア４３又は窓４４の開閉量の指示が含まれてもよい。
【０１３９】
浄化モードは、空間１０中に存在する病原体１１の感染力を弱体化させるための動作モードである。例えば、制御部３５３は、浄化モードで動作する場合に、許容範囲内の上限値に空間１０の塩素濃度が一致するように、次亜塩素酸発生器３４１を制御する。浄化モードにおける塩素濃度の許容範囲は、例えば第２の濃度範囲である。
【０１４０】
快適モードは、空間１０を、例えばほぼ無臭状態などの、人にとって快適な臭気環境にするための動作モードである。例えば、制御部３５３は、快適モードで動作する場合に、許容範囲内の所定値に空間１０の塩素濃度が一致するように、次亜塩素酸発生器３４１及び換気装置３４２を制御する。快適モードにおける塩素濃度の許容範囲は、例えば第１の濃度範囲である。
【０１４１】
［動作］
続いて、本実施の形態に係る空間環境制御システム３００の動作について、図９を用いて説明する。図９は、本実施の形態に係る空間環境制御システム３００の動作を示すフローチャートである。
【０１４２】
図９に示されるように、病原体濃度と閾値との判定処理（Ｓ１１２）までの処理は、実施の形態１と同様である。
【０１４３】
病原体濃度が閾値より高い場合（Ｓ１１２でＹｅｓ）、制御部３５３は、塩素濃度の許容範囲を第２の濃度範囲に設定する（Ｓ３１４）。制御部３５３は、塩素濃度が第２の濃度範囲に収まるように次亜塩素酸発生器３４１を制御することで、空間１０に次亜塩素酸を放出する（Ｓ３１６）。このとき、換気装置３４２が動作中の場合、制御部３５３は、換気装置３４２の動作を停止し、又は、換気装置３４２による換気量を減少させてもよい。
【０１４４】
次亜塩素酸などの酸化力を有する物質は、インフルエンザウイルスなどの病原体１１を分解し、除去することができる。このため、空間１０に次亜塩素酸を放出することで、病原体１１の個体数を減らし、感染力を低下させることができる。このように、病原体濃度が閾値より高い場合には、制御部３５３は、浄化モードで動作する。つまり、制御部３５３は、病原体濃度が閾値より高い場合に、塩素濃度の許容範囲を広くすることで、病原体１１の浄化を優先させる。
【０１４５】
病原体濃度が閾値より低い場合（Ｓ１１２でＮｏ）、制御部３５３は、塩素濃度の許容範囲を第１の濃度範囲に設定する（Ｓ３１８）。制御部３５３は、塩素濃度が第１の濃度範囲に収まるように換気装置３４２を制御することで、空間１０を快適な環境で維持する（Ｓ３２０）。このとき、次亜塩素酸発生器３４１が動作中の場合、制御部３５３は、次亜塩素酸発生器３４１の動作を停止し、又は、次亜塩素酸発生器３４１からの次亜塩素酸の発生量を減少させてもよい。このように、病原体濃度が閾値より低い場合には、制御部３５３は、快適モードで動作する。
【０１４６】
なお、病原体濃度が閾値に等しい場合には、塩素濃度の許容範囲を第１の濃度範囲に設定してもよく、第２の濃度範囲に設定してもよい。
【０１４７】
所定の期間が経過するまで（Ｓ１２２でＮｏ）、状態が維持される。所定の期間が経過した後（Ｓ１２２でＹｅｓ）、ステップＳ１１０に戻り、病原体濃度の取得からの処理が繰り返される。
【０１４８】
ここで、図９に示されるフローチャートに沿って空間環境制御システム３００が動作したときの空間１０の塩素濃度の変化の具体例について、図１０を用いて説明する。図１０は、本実施の形態に係る空間環境制御システム３００の動作中の空間１０の塩素濃度の時間変化を示す図である。図１０では、横軸に時間を示しており、縦軸に空間１０の塩素濃度を示している。
【０１４９】
図１０で示される例では、時刻ｔ１に至るまでの期間は、許容範囲が第１の濃度範囲であり、空間１０には快適な環境が形成されている。例えば、制御部３５３が次亜塩素酸発生器３４１の動作を停止することで、空間１０の塩素濃度が０ｐｐｍで保たれている。ここでは、第１の濃度範囲は、下限値Ｃ１ｍｉｎが０ｐｐｍ、上限値Ｃ１ｍａｘが０．０１ｐｐｍとなる範囲であり、人にとっての快適性が優先された範囲である。上限値Ｃ１ｍａｘが０．０１ｐｐｍであることで、臭いに敏感な人にとっても塩素臭をほとんど感じなくすることができる。
【０１５０】
なお、０ｐｐｍとは、塩素が全く存在しないことを意味するだけでなく、ｐｐｍレベルでは検出されない、つまり、検出限界以下であることも意味する。つまり、空間１０には、ｐｐｔレベルで塩素が存在していてもよい。後述するオゾン濃度についても同様である。
【０１５１】
時刻ｔ１では、病原体濃度が閾値より低いと判定されているので、制御部３５３は、換気装置３４２を制御することで、快適な環境を維持する。時刻ｔ２では、病原体濃度が閾値より高いと判定されたため、制御部３５３は、許容範囲を第２の濃度範囲に設定し、次亜塩素酸発生器３４１の動作を開始し、次亜塩素酸を発生させる。第２の濃度範囲は、下限値Ｃ２ｍｉｎが０ｐｐｍ、上限値Ｃ２ｍａｘが０．５ｐｐｍとなる範囲であり、病原体１１の浄化を優先させた範囲である。０．５ｐｐｍは、塩素の管理許容濃度（ＴＷＡ：Time-Weighted Average）であり、許容範囲が第２の濃度範囲に設定された場合においても、人体に与える悪影響を抑えることができる。
【０１５２】
次亜塩素酸発生器３４１が次亜塩素酸を発生させることで、時刻ｔ２以降、空間１０の塩素濃度が上昇する。許容範囲が第１の濃度範囲から第２の濃度範囲に変更されているので、第１の濃度範囲の上限値Ｃ１ｍａｘである０．０１ｐｐｍを超えて、空間１０の塩素濃度は上昇する。このとき、制御部３５３は、第２の濃度範囲の上限値Ｃ２ｍａｘである９０％を超えないように、次亜塩素酸発生器３４１及び換気装置３４２を制御する。
【０１５３】
時刻ｔ３では、病原体濃度が閾値より高いと判定されているので、制御部３５３は、許容範囲を第２の濃度範囲のままで維持する。制御部３５３は、空間１０の塩素濃度も０．５ｐｐｍで保たれるように、次亜塩素酸発生器３４１及び換気装置３４２を制御する。時刻ｔ２〜時刻ｔ４にかけて、空間１０には次亜塩素酸が存在しているので、病原体１１の生存率が低下し、病原体濃度が低下する。
【０１５４】
時刻ｔ４では、病原体濃度が閾値より低いと判定されているので、制御部３５３は、許容範囲を第１の濃度範囲に戻し、次亜塩素酸発生器３４１の動作を停止し、換気装置３４２に空間１０の換気を行わせる。換気装置３４２が換気を行うことで、時刻ｔ４以降、空間１０の塩素濃度が低下する。空間１０の塩素濃度が第１の濃度範囲の上限値Ｃ１ｍａｘを下回り、第１の濃度範囲に収まる範囲内で維持されるように、制御部３５３は、換気装置３４２を制御する。
【０１５５】
なお、図１０に示される例では、快適性を優先する場合に、制御部３５３は、空間１０の塩素濃度が第１の濃度範囲の下限値Ｃ１ｍｉｎに一致するように次亜塩素酸発生器３４１の動作を停止したが、これに限らない。例えば、制御部３５３は、空間１０の塩素濃度が第１の濃度範囲の中央値又は上限値Ｃ１ｍａｘで保たれるように次亜塩素酸発生器３４１及び換気装置３４２を制御してもよい。
【０１５６】
また、浄化を優先する場合に、制御部３５３は、空間１０の塩素濃度が第２の濃度範囲の上限値Ｃ２ｍａｘで保たれるように次亜塩素酸発生器３４１及び換気装置３４２を制御したが、これに限らない。例えば、制御部３５３は、第２の濃度範囲に含まれ、かつ、第１の濃度範囲に含まれない範囲、すなわち、第１の濃度範囲の上限値Ｃ１ｍａｘ以上、第２の濃度範囲の上限値Ｃ２ｍａｘ以下の範囲に空間１０の塩素濃度が収まるように、次亜塩素酸発生器３４１及び換気装置３４２を制御してもよい。例えば、制御部３５３は、上限値Ｃ１ｍａｘと上限値Ｃ２ｍａｘとの間の中央値に空間１０の塩素濃度が一致するように、次亜塩素酸発生器３４１及び換気装置３４２を制御してもよい。
【０１５７】
［変形例］
ここで、本実施の形態の変形例について、図１１を用いて説明する。
【０１５８】
図１１は、本変形例に係る空間環境制御システム４００の構成を示すブロック図である。図１１に示されるように、空間環境制御システム４００は、病原体センサ１２０と、オゾン濃度センサ４３１と、オゾン発生器４４１と、換気装置３４２と、空間環境制御装置４５０とを備える。本変形例に係る空間環境制御システム４００では、次亜塩素酸の代わりに、オゾンを浄化物質４２として放出する。
【０１５９】
オゾン濃度センサ４３１は、空間１０のオゾン濃度を環境値の一例として検出する環境センサの一例である。オゾン濃度センサ４３１は、検出したオゾン濃度を示すオゾン濃度情報を空間環境制御装置４５０に出力する。オゾン濃度センサ４３１は、例えば、図１に示される空気質センサ３１に相当する。
【０１６０】
オゾン発生器４４１は、空間１０にオゾンを放出する機器である。例えば、オゾン発生器４４１は、オゾン水を生成し、生成したオゾン水をミスト化して放出する。オゾン発生器４４１は、オゾン水の放出量を調整することにより、空間１０のオゾン濃度を上昇させる。オゾン発生器４４１は、例えば図１に示される浄化物質発生器４１に相当する。
【０１６１】
空間環境制御装置４５０は、病原体センサ１２０及びオゾン濃度センサ４３１の検出結果に基づいて、オゾン発生器４４１及び換気装置３４２の少なくとも一方を制御する。空間環境制御装置４５０は、例えば、図１に示される制御装置５０に相当する。図１１に示されるように、空間環境制御装置４５０は、病原体濃度情報取得部１５１と、オゾン濃度情報取得部４５２と、制御部４５３とを備える。
【０１６２】
オゾン濃度情報取得部４５２は、オゾン濃度センサ４３１から出力されるオゾン濃度情報を取得する。例えば、オゾン濃度情報取得部４５２は、オゾン濃度センサ４３１と有線又は無線で接続された通信インタフェースで実現される。
【０１６３】
制御部４５３は、病原体濃度情報及びオゾン濃度情報に基づいて、オゾン発生器４４１及び換気装置３４２の少なくとも一方を制御する。制御部４５３は、プログラムが格納された不揮発性メモリ、プログラムを実行するための一時的な記憶領域である揮発性メモリ、入出力ポート、プログラムを実行するプロセッサなどで実現される。制御部４５３は、専用の電子回路で実現されてもよい。
【０１６４】
具体的には、制御部４５３は、病原体濃度情報が示す病原体濃度に基づいてオゾン濃度の許容範囲を設定し、設定した許容範囲内でオゾン濃度が収まるように、オゾン発生器４４１及び換気装置３４２を制御する。本実施の形態では、制御部４５３は、病原体濃度が所定の閾値より低い場合に、オゾン濃度の許容範囲を第１の濃度範囲に設定し、病原体濃度が閾値より高い場合に、オゾン濃度の許容範囲を、第１の濃度範囲より広い第２の濃度範囲に設定する。
【０１６５】
本実施の形態では、第１の濃度範囲及び第２の濃度範囲はそれぞれ、オゾン濃度の上限値及び下限値によって定められる範囲である。第１の濃度範囲は、例えば、第２の濃度範囲に含まれている。具体的には、第１の濃度範囲の下限値は、第２の濃度範囲の下限値以上の値であり、第１の濃度範囲の上限値は、第２の濃度範囲の上限値以下の値である。
【０１６６】
第１の濃度範囲は、人にとって快適な環境として定められたオゾン濃度の範囲である。第１の濃度範囲は、例えば作業環境評価基準に基づいて定められるオゾン濃度の範囲である。例えば、第１の濃度範囲は、０ｐｐｍ以上０．０１ｐｐｍ以下の範囲であるが、これに限定されない。第１の濃度範囲は、例えば０ｐｐｍ以上０．１ｐｐｍ以下の範囲でもよく、当該範囲に含まれる範囲でもよい。オゾン濃度が０．０１ｐｐｍ以下である場合には、臭いに敏感な人にとってもオゾン臭をほとんど感じなくすることができる。
【０１６７】
第２の濃度範囲は、病原体１１の感染力を弱体化させることができるオゾン濃度の範囲である。第２の濃度範囲には、人にとってオゾン臭により不快と感じられる範囲も含まれる。具体的には、第２の濃度範囲には、快適な濃度範囲よりも濃度が高い範囲が含まれる。例えば、第２の濃度範囲は、０ｐｐｍ以上０．０５ｐｐｍ以下の範囲であるが、これに限定されない。第２の濃度範囲は、例えば０ｐｐｍ以上０．１ｐｐｍ以下の範囲でもよく、当該範囲に含まれる範囲でもよい。
【０１６８】
なお、０．０５ｐｐｍは、日本空気清浄協会の室内ガス濃度基準の平均値であり、オゾン濃度が０．０５ｐｐｍ以下であれば、一般的な室内環境内で病原体の感染力を低下させることができる。また、０．１ｐｐｍは、日本空気清浄協会の室内ガス濃度基準の最高値であり、オゾン濃度が０．１ｐｐｍ以下であれば、人に与える悪影響を抑えつつ、病原体の感染力を低下させることができる。
【０１６９】
制御部４５３は、浄化モード及び快適モードを含む複数の動作モードから選択された１つのモードで動作する。制御部４５３は、いずれのモードにおいても、設定された許容範囲内で空間１０のオゾン濃度が収まるように、オゾン発生器４４１及び換気装置３４２を制御する。例えば、制御部４５３は、オゾン発生器４４１及び換気装置３４２の各々に制御信号を出力する。オゾン発生器４４１に出力される制御信号には、オゾン発生器４４１の動作の開始及び停止、オゾンの放出量、並びに、設定した許容範囲などの指示が含まれる。
【０１７０】
浄化モードは、空間１０中に存在する病原体１１の感染力を弱体化させるための動作モードである。例えば、制御部４５３は、浄化モードで動作する場合に、許容範囲内の上限値に空間１０のオゾン濃度が一致するように、オゾン発生器４４１を制御する。浄化モードにおけるオゾン濃度の許容範囲は、例えば第２の濃度範囲である。
【０１７１】
快適モードは、空間１０を、例えばほぼ無臭状態などの、人にとって快適な臭気環境にするための動作モードである。例えば、制御部４５３は、快適モードで動作する場合に、許容範囲内の所定値に空間１０のオゾン濃度が一致するように、オゾン発生器４４１及び換気装置３４２を制御する。快適モードにおけるオゾン濃度の許容範囲は、例えば第１の濃度範囲である。
【０１７２】
本変形例に係る空間環境制御システム４００の動作は、本実施の形態に係る空間環境制御システム３００の動作と同じである。空間環境制御システム４００は、例えば、図８に示されるフローチャートに沿って動作する。
【０１７３】
以上のように、本実施の形態及び変形例に係る空間環境制御システム３００及び４００によれば、病原体濃度に基づいて塩素濃度又はオゾン濃度の許容範囲が設定される。このため、例えば、病原体濃度が閾値より高くて感染の危険性が高い場合に、空間１０に次亜塩素酸又はオゾンを放出して病原体１１を除去することができる。これにより、病原体１１による感染の危険性が高まった場合には、快適性が多少損なわれる恐れがあるものの、病原体１１の感染力を弱体化させることができる。また、病原体濃度が閾値より低くて感染の危険性が低い場合には、空間１０を人にとって快適な環境で保つことができる。
【０１７４】
このように、病原体濃度に基づいて塩素濃度又はオゾン濃度の許容範囲が設定されるので、人にとっての快適な環境と、病原体１１の感染力の弱体化とを両立させることができる。
【０１７５】
なお、空間１０の塩素濃度は、実測値ではなく、次亜塩素酸発生器３４１からの発生量と、空間１０の広さとに基づいて推測された値であってもよい。オゾン濃度についても同様である。
【０１７６】
（実施の形態４）
続いて、実施の形態４について説明する。
【０１７７】
本実施の形態に係る空間環境制御システムは、複数の調整機器を制御することで、空間の複数の環境を制御する。以下では、図１に示される空間１０が、本実施の形態に係る空気環境制御システムによる環境の制御対象の空間である場合を例に説明する。なお、以下の説明において、実施の形態１〜３との相違点を中心に説明し、共通点の説明を省略又は簡略化する。
【０１７８】
まず、本実施の形態に係る空間環境制御システムの構成について、図１２を用いて説明する。
【０１７９】
図１２は、本実施の形態に係る空間環境制御システム５００の構成を示すブロック図である。図１２に示されるように、空間環境制御システム５００は、病原体センサ１２０と、環境センサ群５３０と、調整機器群５４０と、空間環境制御装置５５０とを備える。本実施の形態に係る空間環境制御システム５００は、空間１０の温度、湿度、塩素濃度、オゾン濃度、及び、ＵＶ照射量を制御する。
【０１８０】
環境センサ群５３０には、温度センサ１３０、湿度センサ２３０、塩素濃度センサ３３１、オゾン濃度センサ４３１、ＣＯ２濃度センサ５３２、ＵＶ照度センサ５３３及び粉塵量センサ５３４が含まれる。
【０１８１】
ＣＯ２濃度センサ５３２は、空間１０の二酸化炭素濃度を環境値の一例として検出する環境センサの一例である。ＣＯ２濃度センサ５３２は、検出した二酸化炭素濃度を示すＣＯ２情報を空間環境制御装置５５０に出力する。ＣＯ２濃度センサ５３２は、例えば、図１に示される空気質センサ３１に相当する。
【０１８２】
ＵＶ照度センサ５３３は、空間１０内に照射される紫外光の照射量を環境値の一例として検出する環境センサの一例である。ＵＶ照度センサ５３３は、検出した紫外光の照射量を示すＵＶ情報を空間環境制御装置５５０に出力する。
【０１８３】
粉塵量センサ５３４は、空間１０内に浮遊する粉塵の量を環境値の一例として検出する環境センサの一例である。粉塵量センサ５３４は、検出した粉塵量を示す粉塵量情報を空間環境制御装置５５０に出力する。
【０１８４】
調整機器群５４０は、空間環境制御装置５５０による制御に基づいて空間１０の環境を調整する複数の調整機器からなる群である。図１２に示されるように、調整機器群５４０には、温度調整機器１４０、湿度調整機器２４０、次亜塩素酸発生器３４１、換気装置３４２、オゾン発生器４４１及びＵＶ光源５４３が含まれる。
【０１８５】
ＵＶ光源５４３は、空間１０内に紫外光を照射するための光源である。ＵＶ光源５４３は、紫外光を発する放電ランプ又はＬＥＤ（Light Emitting Diode）などである。ＵＶ光源５４３は、例えば、制御部５５３によって点灯及び消灯が制御される。
【０１８６】
なお、ＵＶ光源５４３から発せられる紫外光の代わりに、太陽光を利用してもよい。例えば、制御部５５３は、図１に示されるブラインド４５の開閉によって太陽光の採光量を調整してもよい。
【０１８７】
空間環境制御装置５５０は、病原体センサ１２０及び環境センサ群５３０の検出結果に基づいて、調整機器群５４０に含まれる複数の調整機器の少なくとも１つを制御する。空間環境制御装置５５０は、例えば、図１に示される制御装置５０に相当する。図１２に示されるように、空間環境制御装置５５０は、病原体濃度情報取得部１５１と、環境情報取得部５５２と、制御部５５３とを備える。
【０１８８】
環境情報取得部５５２は、環境センサ群５３０に含まれる複数の環境センサの各々から出力される環境情報を取得する。環境情報は、温度情報、湿度情報、塩素濃度情報、オゾン濃度情報、ＣＯ２濃度情報、ＵＶ情報及び粉塵量情報の少なくとも１つを含んでいる。例えば、環境情報取得部５５２は、複数の環境センサの各々と有線又は無線で接続された通信インタフェースで実現される。
【０１８９】
制御部５５３は、病原体濃度情報及び環境情報に基づいて、調整機器群５４０に含まれる複数の調整機器の少なくとも１つを制御する。制御部５５３は、プログラムが格納された不揮発性メモリ、プログラムを実行するための一時的な記憶領域である揮発性メモリ、入出力ポート、プログラムを実行するプロセッサなどで実現される。制御部５５３は、専用の電子回路で実現されてもよい。
【０１９０】
具体的には、制御部５５３は、病原体濃度情報が示す病原体濃度に基づいて環境値の許容範囲を設定し、設定した許容範囲内で環境値が収まるように、調整機器群５４０を制御する。本実施の形態では、制御部５５３は、複数の環境値の各々の許容範囲を設定する。複数の環境値には、温度、湿度、塩素濃度、オゾン濃度、ＣＯ２濃度、ＵＶ照度、及び、粉塵量などが含まれる。
【０１９１】
本実施の形態では、制御部５５３は、環境値毎に、病原体濃度が所定の閾値より低い場合に、環境値の許容範囲を第１の範囲に設定し、病原体濃度が閾値より高い場合に、環境値の許容範囲を、第１の範囲より広い第２の範囲に設定する。各環境値の許容範囲は、温度、湿度、塩素濃度及びオゾン濃度については、例えば、実施の形態１〜３及び変形例で説明した範囲と同じである。
【０１９２】
ＣＯ２濃度の第１の範囲は、例えば３００ｐｐｍ以上２０００ｐｐｍ以下である。ＵＶ量の第１の範囲は、例えば、波長３８０ｎｍ以下のＵＶ光に対して、５０ｍＷ／ｃｍ２以下である。粉塵量の第１の範囲は、例えば０．１ｍｇ／ｍ３以下である。これらは、衛生管理基準などに基づき定められる。
【０１９３】
ＣＯ２濃度の第２の範囲は、例えば３００ｐｐｍ以上４０００ｐｐｍ以下である。ＵＶ量の第１の範囲は、例えば、波長３８０ｎｍ以下のＵＶ光に対して、１００ｍＷ／ｃｍ２以下である。粉塵量の第１の範囲は、例えば０．２ｍｇ／ｍ３以下である。
【０１９４】
本実施の形態に係る空間環境制御システム５００の動作は、実施の形態１〜３及び変形例で説明した動作と同様である。例えば、病原体濃度が閾値より高い場合に、制御部５５３は、温度、湿度及び塩素濃度又はオゾン濃度の許容範囲をそれぞれ、第２の温度範囲、第２の湿度範囲及び第２の濃度範囲に設定する。制御部５５３は、空間１０を高温かつ高湿にし、空間１０に次亜塩素酸又はオゾンを放出させることで、病原体１１に対する浄化力を高めることができる。さらに、制御部５５３は、ブラインド４５を開けることにより、太陽光を空間１０に採り込んでもよい。太陽光に含まれる紫外光によって、空間１０に存在する病原体を除去することができる。
【０１９５】
また、例えば、快適な環境を維持する場合において、制御部５５３は、ＣＯ２濃度及び粉塵量が許容範囲内で収まるように、換気装置３４２を制御する。具体的には、ＣＯ２濃度及び粉塵量の少なくとも一方が許容範囲の上限値を上回っている場合には、換気装置３４２を制御することで、空間１０の空気の入れ換えを行う。これにより、ＣＯ２濃度及び粉塵量を低下させることができる。
【０１９６】
なお、粉塵量は、換気の際、又は、浄化動作において風量を強めた場合などにも増加する恐れがある。これらに対して、空間１０内に生成される気流が抑えられるように調整機器群５４０を制御することで、粉塵量を許容範囲内に抑えることができる。
【０１９７】
以上のように、本実施の形態に係る空間環境制御システム５００によれば、複数の環境を変更することで、病原体１１に対する浄化力を高めることができ、短期間で病原体１１の感染力を弱体化させることができる。したがって、人にとって快適な環境が損なわれている期間が短くなるので、快適な環境を長期間維持しつつ、必要に応じて病原体１１の感染力を弱体化させることができる。また、温度、湿度、ＣＯ２濃度及び粉塵量などの様々な環境値を快適な範囲内に収めることで、人にとってより快適な環境を形成することができる。
【０１９８】
（変形例１）
続いて、実施の形態の変形例１について説明する。
【０１９９】
上述した実施の形態１〜４では、病原体濃度の判定に用いられる閾値が１つのみである場合を説明したが、これに限らない。本変形例に係る空間環境制御システムでは、病原体濃度の判定に用いられる閾値が複数存在する。
【０２００】
本変形例に係る空間環境制御システムは、例えば、図１２に示される実施の形態４に係る空間環境制御システム５００と構成は同じである。以下では、図１２を参照しながら、本変形例に係る空間環境制御システムについて説明する。
【０２０１】
本変形例では、制御部５５３は、１つ以上の閾値で区分される複数の濃度区分のいずれに病原体濃度が含まれるかを判定する。制御部５５３は、複数の濃度区分に対応付けられた互いに異なる複数の範囲のうち、病原体濃度が含まれる濃度区分に対応する範囲に、許容範囲を設定する。
【０２０２】
図１３は、本変形例に係る空間環境制御システムにおける病原体濃度の濃度区分と許容範囲の候補範囲との対応関係を示す図である。図１３に示されるように、本変形例では、３つの閾値ｔｈ１〜ｔｈ３によって区分された４つの濃度区分Ａ〜Ｄが設けられている。４つの濃度区分Ａ〜Ｄの各々に一対一で許容範囲の候補範囲Ａ〜Ｄが対応付けられている。
【０２０３】
候補範囲Ａ〜Ｄは、互いに異なる範囲である。候補範囲Ａ〜Ｄは、この順で範囲が広くなっている。このとき、候補範囲Ａ〜Ｄの少なくとも２つの範囲は部分的に重複していてもよい。例えば、候補範囲Ｄには、候補範囲Ａが含まれていてもよい。候補範囲Ａ〜Ｄは、快適モード、弱浄化モード、中浄化モード、強浄化モードの各々に対応している。候補範囲Ａ〜Ｄは、環境値の種類毎に定められている。例えば、温度毎、湿度毎、塩素濃度毎、及び、オゾン濃度毎に、候補範囲Ａ〜Ｄが定められている。
【０２０４】
本変形例では、空間環境制御装置５５０は、図１３に示される対応表をメモリ（図示せず）などに記憶している。制御部５５３は、メモリに記憶された対応表を読み出し、読み出した対応表に基づいて病原体濃度の判定及び許容範囲の設定を行う。
【０２０５】
続いて、本変形例に係る空間環境制御システムの動作について、図１４を用いて説明する。図１４は、本変形例に係る空間環境制御システムの動作を示すフローチャートである。
【０２０６】
図１４に示されるように、まず、空間環境制御装置５５０は、病原体濃度を取得する（Ｓ１１０）。病原体濃度の取得処理については、実施の形態１〜４と同様である。
【０２０７】
次に、制御部５５３は、病原体濃度情報が示す病原体濃度が複数の濃度区分のいずれに含まれるかを判定する（Ｓ４１２）。制御部５５３は、病原体濃度が含まれる濃度区分に対応する範囲を、許容範囲として設定する（Ｓ４１４）。
【０２０８】
なお、病原体濃度が閾値ｔｈ１〜ｔｈ３のいずれかに等しい場合は、閾値で区分される２つの濃度区分のいずれに対応する候補範囲に設定してもよい。例えば、病原体濃度が閾値ｔｈ２に等しい場合、制御部５５３は、許容範囲を候補範囲Ｂ及び候補範囲Ｃのいずれに設定してもよい。
【０２０９】
制御部５５３は、病原体濃度に基づいて浄化モードで動作するか否かを判定する（Ｓ４１６）。例えば、病原体濃度が、図１３に示される閾値ｔｈ１より高い場合に、制御部５５３は、浄化モードで動作すると判定する。病原体濃度が閾値ｔｈ１より低い場合に、制御部５５３は、快適モードで動作すると判定する。なお、病原体濃度が閾値ｔｈ１に等しい場合、制御部５５３は、浄化モード及び快適モードのいずれで動作してもよい。
【０２１０】
浄化モードで動作する場合（Ｓ４１６でＹｅｓ）、制御部５５３は、設定された許容範囲内で浄化の動作を行う（Ｓ４１８）。例えば、制御部５５３は、許容範囲の上限値に環境値が一致するように、調整機器群５４０に含まれる複数の調整機器の少なくとも１つを制御する。
【０２１１】
快適モードで動作する場合（Ｓ４１６でＮｏ）、制御部５５３は、設定された許容範囲内で快適環境を維持するための動作を行う（Ｓ４２０）。例えば、制御部５５３は、候補範囲Ａ内の所定値に環境値が一致するように、調整機器群５４０に含まれる複数の調整機器の少なくとも１つを制御する。
【０２１２】
所定の期間が経過するまで（Ｓ１２２でＮｏ）、状態が維持される。所定の期間が経過した後（Ｓ１２２でＹｅｓ）、ステップＳ１１０に戻り、病原体濃度の取得からの処理が繰り返される。
【０２１３】
本変形例によれば、病原体濃度の判定に用いられる閾値、及び、環境値の許容範囲の候補範囲がそれぞれ複数設けられているので、病原体濃度に応じて空間１０の環境を細かく制御することができる。
【０２１４】
（変形例２）
続いて、実施の形態の変形例２について説明する。
【０２１５】
上述した実施の形態１〜４及び変形例では、許容範囲の候補範囲が設定された固定の範囲である例について示したが、本変形例では、候補範囲が変更可能である。
【０２１６】
本変形例に係る空間環境制御システムは、図１２に示される実施の形態４に係る空間環境制御システム５００と同様であり、空間環境制御装置５５０の代わりに、図１５に示される空間環境制御装置６５０を備える点が相違する。なお、図１５は、本変形例に係る空間環境制御装置６５０の構成を示すブロック図である。
【０２１７】
空間環境制御装置６５０は、図１５に示されるように、病原体濃度情報取得部１５１と、環境情報取得部５５２と、制御部６５３と、日時情報取得部６５４とを備える。
【０２１８】
日時情報取得部６５４は、日時情報を取得する。日時情報は、時刻及び日付の少なくとも一方に関する情報である。例えば、日時情報は、制御当日の年月日及び現在時刻を示す情報である。なお、日時情報は、朝、昼、夕方、夜などの、現在時刻が属する時間帯を示す情報でもよい。あるいは、日時情報は、春、夏、秋、冬などの、制御当日が属する季節又は月を示す情報でもよい。
【０２１９】
日時情報取得部６５４は、例えば、空間環境制御装置６５０を実現するコンピュータ機器のタイマ機能などで実現される。あるいは、日時情報取得部６５４は、外部のサーバ装置などと通信する通信インタフェースで実現されてもよい。
【０２２０】
本変形例では、図１６に示されるように、例えば、季節と許容範囲の候補範囲とが対応付けられている。図１６は、本変形例に係る空間環境制御システムにおける病原体濃度の濃度区分と許容範囲の候補範囲との対応関係の一例を示す図である。
【０２２１】
図１６に示されるように、病原体濃度の判定に用いられる閾値ｔｈ１と、閾値ｔｈ１によって区分された２つの濃度区分Ａ及びＢが設けられている。２つの濃度区分Ａ及びＢにはそれぞれ、季節に応じて異なる候補範囲Ａ１及びＡ２、並びに、候補範囲Ｂ１及びＢ２が対応付けられている。
【０２２２】
図１６に示される候補範囲Ａ１及びＡ２は、快適モードで設定されうる許容範囲の候補範囲である。例えば、冬季は、夏季に比べて、人が快適と感じる環境が異なる。候補範囲Ａ１及びＡ２はそれぞれ、季節に応じて快適とされる範囲に定められる。
【０２２３】
図１６に示される候補範囲Ｂ１及びＢ２は、浄化モードで設定されうる許容範囲の候補範囲である。例えば、冬季は、夏季に比べて、病原体１１による感染が起こりやすい。このため、例えば、冬季の候補範囲Ｂ１は、夏季の候補範囲Ｂ２より広い範囲である。これにより、冬季における病原体１１に対する浄化力を高めることができる。
【０２２４】
本変形例では、制御部６５３は、日時情報に基づいて許容範囲の複数の範囲の少なくとも１つを変更する。具体的には、制御部６５３は、濃度区分の判定結果、及び、日時情報に基づいて、図１６に示される対応関係を参照することで、環境値の許容範囲を設定する。
【０２２５】
例えば、日時情報に基づいて制御当日の季節が冬季である場合において、病原体濃度が閾値ｔｈ１より低いとき、制御部６５３は、許容範囲を候補範囲Ａ１に設定する。同様に、制御当日の季節が夏季である場合において、病原体濃度が閾値ｔｈ１より低いとき、制御部６５３は、許容範囲を候補範囲Ａ２に設定する。病原体濃度が閾値ｔｈ２より高い場合も同様である。
【０２２６】
なお、図１７に示されるように、時間帯と許容範囲の候補範囲とが対応付けられていてもよい。図１７は、本変形例に係る空間環境制御システムにおける病原体濃度の濃度区分と許容範囲の候補範囲との対応関係の一例を示す図である。
【０２２７】
図１７に示されるように、２つの濃度区分Ａ及びＢにはそれぞれ、時間帯に応じて異なる候補範囲Ａ１及びＡ２、並びに、候補範囲Ｂ１及びＢ２が対応付けられている。
【０２２８】
図１７に示される候補範囲Ａ１及びＡ２は、快適モードで設定されうる許容範囲の候補範囲である。例えば、活動量の多い日中は、活動量の少ない夜間に比べて、人が快適と感じる環境が異なる。候補範囲Ａ１及びＡ２はそれぞれ、時間帯に応じて快適とされる範囲に定められる。
【０２２９】
候補範囲Ｂ１及びＢ２は、浄化モードで設定されうる許容範囲の候補範囲である。例えば、人の出入りの多い日中は、人の出入りの少ない夜間に比べて、病原体１１による感染が起こりやすい。例えば、病原体１１の感染者が空間１０に入り、感染源（病原体１１の発生源）となる恐れもある。あるいは、空間１０に存在する病原体１１が、日中の人の活動によって拡散されやすくなる。このため、例えば、日中の候補範囲Ｂ１は、夜間の候補範囲Ｂ２より広い範囲である。これにより、日中における病原体１１に対する浄化力を高めることができる。
【０２３０】
以上のように、本変形例に係る空間環境制御システムによれば、日時情報に基づいて候補範囲が変更可能であるので、季節又は時間帯などに応じて適切な快適環境を形成することができ、かつ、病原体１１の浄化を行うことができる。
【０２３１】
なお、本変形例において、制御部６５３は、日時情報に基づいて、病原体濃度の判定に用いる閾値又は濃度区分を変更してもよい。例えば、冬季は、夏季に比べて病原体１１による感染が起こりやすいので、制御部６５３は、冬季の閾値を夏季の閾値より小さくしてもよい。また、例えば、日中は、夜間に比べて病原体１１による感染が起こりやすいので、制御部６５３は、日中の閾値を夏季の閾値より小さくしてもよい。
【０２３２】
また、例えば、１つ以上の閾値、濃度区分、及び、許容範囲の候補範囲は、日時情報以外の情報に基づいて変更可能であってもよい。例えば、制御部６５３は、空間１０に存在する人の着衣量に基づいて、１つ以上の閾値、濃度区分、及び、許容範囲の候補範囲を変更してもよい。なお、人の着衣量を検出するため、空間環境制御システムは、イメージセンサを有するカメラ、又は、熱画像センサなどを備えていてもよい。例えば、カメラによって空間１０内を撮影し、得られた画像に対して人の検出処理を行うことで、人を検出し、その着衣量を判定してもよい。
【０２３３】
図１８は、本変形例に係る空間環境制御システムにおける病原体濃度の濃度区分と許容範囲の候補範囲との対応関係の別の一例を示す図である。図１８には、人の着衣量に対して、許容範囲の候補範囲が対応付けられている。例えば、空間１０の温度に着目した場合、着衣量が多い程、快適と感じる温度は低くなる傾向にある。したがって、例えば、着衣量が多い場合の候補範囲Ａ１は、着衣量が少ない場合の候補範囲Ａ２に比べて、温度の許容範囲の上限値及び下限値の少なくとも一方が低くなっている。候補範囲Ｂ１及びＢ２についても同様であってもよい。
【０２３４】
あるいは、制御部６５３は、空間１０に存在する人の性質（例えば、寒がりなのか暑がりなのか）などに基づいて、１つ以上の閾値、濃度区分、及び、許容範囲の候補範囲を変更してもよい。具体的には、制御部６５３は、空間１０に存在する人を特定し、特定した人に応じた１つ以上の閾値、濃度区分、及び、許容範囲の候補範囲を設定してもよい。
【０２３５】
図１９は、本変形例に係る空間環境制御システムにおける病原体濃度の濃度区分と許容範囲の候補範囲との対応関係の別の一例を示す図である。例えば、図１９に示されるように、人に識別番号（ＩＤ）を割り当て、人毎に、閾値、濃度区分及び許容範囲の候補範囲の少なくとも１つが対応付けられていてもよい。
【０２３６】
制御部６５３は、例えば、カメラなどによって空間１０内を撮影することで得られた画像に対して顔認識処理などを行ってもよい。なお、空間環境制御装置６５０は、例えば、人の識別番号と顔認識データとが対応付けられた対応情報、及び、図１９に示される対応情報などを記憶するメモリを備えている。制御部６５３は、当該メモリを参照することで、制御部６５３は、空間１０に存在する人を特定し、対応する識別番号を取得してもよい。制御部６５３は、取得した識別番号に応じて、閾値、濃度区分及び許容範囲の候補範囲などを設定してもよい。
【０２３７】
また、制御部６５３は、個人を特定せずに、空間１０に存在する人が、予め設定された複数のカテゴリのいずれに該当するかを判別してもよい。複数のカテゴリは、例えば、年齢、性別などのカテゴリである。制御部６５３は、カテゴリに応じて、閾値、濃度区分及び許容範囲の候補範囲などを設定してもよい。
【０２３８】
なお、許容範囲は、機械学習などによって更新されてもよい。例えば、人毎に、機械学習による快適な環境値の許容範囲を設定してもよい。例えば、人が空間１０に戻ってきた時にエアコン４０の設定温度などを変更した場合、このときの空間１０の温度と、変更後の設定値とを蓄積する。蓄積したデータを入力データとして、人が快適と思う温度を機械学習により判定してもよい。
【０２３９】
（変形例３）
続いて、実施の形態の変形例３について説明する。
【０２４０】
本変形例に係る空間環境制御システムは、制御内容又は空間１０の状態などを人に通知する。本変形例に係る空間環境制御システムは、図１２に示される空間環境制御システム５００と同様であり、空間環境制御装置５５０の代わりに、図２０に示される空間環境制御装置７５０と、表示装置７６０とを備える点が相違する。なお、図２０は、本変形例に係る空間環境制御装置７５０の構成を示すブロック図である。
【０２４１】
空間環境制御装置７５０は、図２０に示されるように、病原体濃度情報取得部１５１と、環境情報取得部５５２と、制御部５５３と、表示制御部７５４とを備える。
【０２４２】
表示制御部７５４は、表示装置７６０の表示を制御する。具体的には、表示制御部７５４は、制御内容、又は、環境値などの空間１０の状態を表す画像又は映像を生成し、表示装置７６０に表示させる。
【０２４３】
表示装置７６０は、例えば、制御装置５０が備えるディスプレイである。表示装置７６０は、液晶表示装置又は有機ＥＬ（Electroluminescence）表示装置などである。
【０２４４】
表示装置７６０は、空間環境制御装置７５０の制御内容などを表示する。例えば、図２１に示されるように、表示装置７６０には、制御部５５３が実行中の動作モードと、当該動作モードの推定残り時間とを表す画像７６１が表示される。なお、図２１は、本変形例に係る空間環境制御システムの表示装置７６０への表示例を示す図である。例えば、推定残り時間は、現在時刻と、病原体濃度と、浄化の強さとなどに基づいて算出される。
【０２４５】
なお、空間環境制御システムは、制御内容などを表示する代わりに、スピーカーなどの出音装置を備えてもよい。空間環境制御装置７５０は、制御内容を示す音声案内を生成し、スピーカーから音声として出力させてもよい。
【０２４６】
表示装置７６０は、専用の表示装置でなくてもよく、空間環境制御システムの管理人、又は、空間１０に存在する人などの所有するスマートフォンなどの携帯端末のディスプレイであってもよい。表示制御部７５４は、無線通信などによって携帯端末と通信し、画像７６１を送信することで、携帯端末のディスプレイには、画像７６１が表示されてもよい。
【０２４７】
（他の実施の形態）
以上、１つ又は複数の態様に係る空間環境制御システム、空間環境制御装置及び空間環境制御方法について、実施の形態に基づいて説明したが、本開示は、これらの実施の形態に限定されるものではない。本開示の主旨を逸脱しない限り、当業者が思いつく各種変形を本実施の形態に施したもの、及び、異なる実施の形態における構成要素を組み合わせて構築される形態も、本開示の範囲内に含まれる。
【０２４８】
例えば、上記の実施の形態では、空間１０中を浮遊する病原体１１を検出したが、これに限らない。例えば、空間１０を形成する壁、ドア４３及び窓４４、並びに、空間１０内に配置されたテーブルなどの家具、エアコン４０及び浄化物質発生器４１などの機器の表面に付着した病原体１１を検出してもよい。
【０２４９】
また、例えば、空間１０は、壁などで閉じられた空間でなくてもよい。また、空間１０は、複数の領域に分割され、領域毎に環境値の検出及び病原体の検出などが行われてもよい。また、領域毎に、調整機器による環境の制御が行われてもよい。
【０２５０】
また、上記実施の形態で説明した装置間の通信方法については特に限定されるものではない。装置間で無線通信が行われる場合、無線通信の方式（通信規格）は、例えば、Ｚｉｇｂｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０２５１】
また、上記実施の形態において、特定の処理部が実行する処理を別の処理部が実行してもよい。また、複数の処理の順序が変更されてもよく、あるいは、複数の処理が並行して実行されてもよい。また、空間環境制御システムが備える構成要素の複数の装置への振り分けは、一例である。例えば、一の装置が備える構成要素を他の装置が備えてもよい。また、空間環境制御システムは、単一の装置として実現されてもよい。
【０２５２】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０２５３】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０２５４】
また、制御部などの構成要素は、１つ又は複数の電子回路で構成されてもよい。１つ又は複数の電子回路は、それぞれ、汎用的な回路でもよいし、専用の回路でもよい。
【０２５５】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０２５６】
また、本開示の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０２５７】
また、上記の各実施の形態は、請求の範囲又はその均等の範囲において種々の変更、置き換え、付加、省略などを行うことができる。
【産業上の利用可能性】
【０２５８】
本開示は、人にとっての快適性と病原体の感染力の弱体化とを両立させることができる空間環境制御システムとして利用でき、例えば、病院又は介護施設などの空調システムなどに利用することができる。
【符号の説明】
【０２５９】
１０  空間
１１  病原体
２０、１２０  病原体センサ
３０  温湿度センサ
３１  空気質センサ
４０  エアコン
４１  浄化物質発生器
４２  浄化物質
４３  ドア
４４  窓
４５  ブラインド
５０  制御装置
１００、２００、３００、４００、５００  空間環境制御システム
１３０  温度センサ
１４０  温度調整機器
１５０、２５０、３５０、４５０、５５０、６５０、７５０  空間環境制御装置
１５１  病原体濃度情報取得部
１５２  温度情報取得部
１５３、２５３、３５３、４５３、５５３、６５３  制御部
２３０  湿度センサ
２４０  湿度調整機器
２５２  湿度情報取得部
３３１  塩素濃度センサ
３４１  次亜塩素酸発生器
３４２  換気装置
３５２  塩素濃度情報取得部
４３１  オゾン濃度センサ
４４１  オゾン発生器
４５２  オゾン濃度情報取得部
５３０  環境センサ群
５３２  ＣＯ２濃度センサ
５３３  ＵＶ照度センサ
５３４  粉塵量センサ
５４０  調整機器群
５４３  ＵＶ光源
５５２  環境情報取得部
６５４  日時情報取得部
７５４  表示制御部
７６０  表示装置
７６１  画像
【図１】
2019142647.tif 000003
【図２】
2019142647.tif 000004
【図３】
2019142647.tif 000005
【図４】
2019142647.tif 000006
【図５】
2019142647.tif 000007
【図６】
2019142647.tif 000008
【図７】
2019142647.tif 000009
【図８】
2019142647.tif 000010
【図９】
2019142647.tif 000011
【図１０】
2019142647.tif 000012
【図１１】
2019142647.tif 000013
【図１２】
2019142647.tif 000014
【図１３】
2019142647.tif 000015
【図１４】
2019142647.tif 000016
【図１５】
2019142647.tif 000017
【図１６】
2019142647.tif 000018
【図１７】
2019142647.tif 000019
【図１８】
2019142647.tif 000020
【図１９】
2019142647.tif 000021
【図２０】
2019142647.tif 000022
【図２１】
2019142647.tif 000023
【国際調査報告】
2019142647.tif 000024
2019142647.tif 000025
2019142647.tif 000026
2019142647.tif 000027